(57)【要約】    【課題】釣人の聴覚に訴えることによって魚のバイトを確実に取られることができ、エキサイティングな釣りを実現する釣竿の提供。    【解決手段】この釣竿１０は、釣竿本体１１と、その後端に配置された尻栓１２とを備える。尻栓１２は、尻栓本体２１とフランジ２２とを有する。尻栓本体２１は、釣竿本体１１の後端部にねじ込まれる。尻栓本体２１の端部には弾性薄膜２９が張り付けられている。弾性薄膜２９には振動伝達糸１９が連結されている。振動伝達糸１９の端部には釣糸が連結される。フランジ２２は、ゴム等から構成され、その後端部に聴音器連結部が形成されている。【選択図】図２
2005261326.tif 000002
【特許請求の範囲】
【請求項１】
細長筒状に形成された釣竿本体と、
釣竿本体の内部に配置された弾性薄膜と、
釣竿本体の内部に配置され、一端が弾性薄膜に連結されると共に他端に釣糸が連結され得る振動伝達糸と、
釣竿本体の後端に設けられ、弾性薄膜の振動音を聴取する聴音器が連結され得る聴音器連結部を有する尻栓とを備えた釣竿。
【請求項２】
上記尻栓は、釣竿本体の後端部の内部に着脱可能に嵌め込まれる小径部及び当該小径部に連続して釣竿本体の後端部から露出する大径部を有する筒状に形成されており、
上記弾性薄膜は、上記小径部の端部に張設されている請求項１に記載の釣竿。
【請求項３】
上記振動伝達糸は、線径が０．０５ｍｍ〜０．６ｍｍの金属又は線径が０．２ｍｍ〜０．６ｍｍのカーボン繊維からなる請求項１又は２に記載の釣竿。
【請求項４】
細長筒状に形成された釣竿本体と、
釣竿本体の内部に配置され、釣糸が連結され得る釣糸連結部を有する弾性薄膜と、
釣竿本体の後端に設けられ、弾性薄膜の振動音を聴取する聴音器が連結され得る聴音器連結部を有する尻栓とを備えた釣竿。
【請求項５】
上記尻栓は、釣竿本体の後端部の内部に着脱可能に嵌め込まれる小径部及び当該小径部に連続して釣竿本体の後端部から露出する大径部を有する筒状に形成されており、
上記弾性薄膜は、上記小径部の端部に張設されている請求項４に記載の釣竿。
【発明の詳細な説明】
【技術分野】
【０００１】
本発明は、釣竿の構造に関するものである。
【背景技術】
【０００２】
魚釣りには、ウキが用いられるウキ釣り、ウキが用いられずに疑似餌が使用されるルアー釣りやミャク釣り等、様々なジャンルがある。疑似餌が使用される釣りは、釣人が釣竿を使って疑似餌をキャストし、その疑似餌を操作することによってターゲットフィッシュのバイトを誘うエキサイティングなゲームであって、その興奮と感動は、当該釣人のみが格別に味わうことのできるものである。
【０００３】
特に、ミャク釣りは、釣人が釣竿を細心の注意を払って操作することによって疑似餌を水中に自然な状態で漂わせ、釣糸を介して当該釣竿に伝わる振動によってターゲットフィッシュがバイトしたことを確認するハイレベルな釣りである。このようなハイレベルな釣りでは、ターゲットフィッシュのバイトの確認は困難であり一般に熟練を要するが、それが故にミャク釣りの興奮と感動はより大きなものとなる。
【０００４】
ところで、従来から釣竿は、例えばルアーのより正確なキャストが実現されること等を目的としてその機能向上が図られているところであるが（例えば、特許文献１〜特許文献５参照）、かかる純粋な機能の向上のみならず、釣りにおける興奮と感動をさらに高めることを目的として、そのデザインや構造に種々の改良が加えられていることもまた事実である。
【０００５】
【特許文献１】特開２００２−３３０６７８号
【特許文献２】特開２００２−３４５３６６号
【特許文献３】特開２００２−３６０１３２号
【特許文献４】特開２００３−７０３８８号
【特許文献５】特開２００３−７９２８４号
【発明の開示】
【発明が解決しようとする課題】
【０００６】
かかる背景のもと、釣りにおいてターゲットフィッシュがバイトした際に、当該釣人がよりエキサイティングすることのできる釣竿の提供が要請されている。
【０００７】
そこで、本発明の目的は、釣人の聴覚に訴えることによってさらに感動的な釣りを実現する釣竿を提供することである。
【０００８】
(1) 上記目的が達成されるため、本発明に係る釣竿は、細長筒状に形成された釣竿本体と、釣竿本体の内部に配置された弾性薄膜と、釣竿本体の内部に配置され、一端が弾性薄膜に連結されると共に他端に釣糸が連結され得る振動伝達糸と、釣竿本体の後端に設けられ、弾性薄膜の振動音を聴取する聴音器が連結され得る聴音器連結部を有する尻栓とを備えたことを特徴とするものである。
【０００９】
この構成によれば、実釣時に釣人は、釣糸を振動伝達糸の他端に連結すると共に、聴音器連結部に聴音器を連結する。釣糸に張力が生じれば、振動伝達糸が振動し、当該振動は弾性薄膜に伝達される。弾性薄膜の振動は、上記聴音器によって音波として捉えられ、釣人は、これを聴取することができる。
【００１０】
上記振動伝達糸は、線径が０．０５ｍｍ〜０．６ｍｍの金属又は線径が０．２ｍｍ〜０．６ｍｍのカーボン繊維から構成される。また、上記尻栓は、釣竿本体の後端部の内部に着脱可能に嵌め込まれる小径部及び当該小径部に連続して釣竿本体の後端部から露出する大径部を有する筒状に形成される。さらに、上記弾性薄膜は、上記小径部の端部に張設されているのが好ましい。
【００１１】
この構成では、釣人は、所要時に尻栓を釣竿本体に対して着脱することができる。また、弾性薄膜は、尻栓に設けられている。したがって、釣竿本体の内部に弾性薄膜を配置する作業がきわめて簡単になると共に、この弾性薄膜に振動伝達糸を取り付ける作業も簡単になる。
【００１２】
(2) 上記目的が達成されるため、本発明に係る釣竿は、細長筒状に形成された釣竿本体と、釣竿本体の内部に配置され、釣糸が連結され得る釣糸連結部を有する弾性薄膜と、釣竿本体の後端に設けられ、弾性薄膜の振動音を聴取する聴音器が連結され得る聴音器連結部を有する尻栓とを備えたことを特徴とするものである。
【００１３】
この構成によれば、実釣時に釣人は、釣糸を弾性薄膜に連結する。具体的には、釣糸は、弾性薄膜の釣糸連結部に連結される。また、釣人は、聴音器連結部に聴音器を連結する。釣糸に張力が生じれば、弾性薄膜が振動し、当該振動は、聴音器によって音波として捉えられ、釣人は、これを聴取することができる。
【００１４】
上記尻栓は、釣竿本体の後端部の内部に嵌め込まれる小径部及び当該小径部に連続して釣竿本体の後端部から露出する大径部を有する筒状に形成される。上記弾性薄膜は、上記小径部の端部に張設されているのが好ましい。
【００１５】
この構成では、釣人は、所要時に尻栓を釣竿本体に対して着脱することができる。また、弾性薄膜は、尻栓に設けられている。したがって、釣竿本体の内部に弾性薄膜を配置する作業がきわめて簡単になると共に、この弾性薄膜に振動伝達糸を取り付ける作業も簡単になる。
【発明の効果】
【００１６】
本発明では、実釣時に釣糸に生じた張力は、振動伝達糸を介して弾性薄膜を振動させるから、釣人は、この弾性薄膜の振動を聴音器を介して音として聴取することができる。したがって、例えばミャク釣り等において、釣人は、魚のヒット（いわゆるアタリ）を聴覚により確認することができるから、よりエキサイティングで感動的な釣りが実現される。
【発明を実施するための最良の形態】
【００１７】
以下、適宜図面が参照されつつ、好ましい実施形態に基づいて本発明が詳細に説明される。
【００１８】
図１は、本発明の一実施形態に係る釣竿の正面図である。
この釣竿１０は、いわゆるインナーガイドタイプの振出式釣竿である。釣竿１０は、釣竿本体１１と釣竿本体１１の後端に設けられた尻栓１２とを備えている。
【００１９】
釣竿本体１１は、４つの筒状部材１３〜１６から構成されている。各筒状部材１３〜１６は、それぞれ「節」と称され、釣竿本体１１の先端側から順に第１番節１３、第２番節１４と称される。各節１３〜１７は、既知の要領で構成される。例えば、シート状のカーボン繊維強化樹脂（プリプレグ）が所定形状に裁断され、これが筒状に巻回され加熱されることによって円筒状の節１３〜１６が焼成される。
【００２０】
第１番節１３は第２番節１４の内部に引き出し自在に収容されている。また、第１番節１３の先端には、釣糸が導き出されるトップガイド１８が設けられている。第１番節１３はテーパ状に形成されており、先端部の外径よりも後端部の外径の方が大きくなるように形成されている。そして、第１番節１３の後端径は、第２番節１４の先端径よりも大きく設定されており、第１番節１３が第２番節１４から引き出された際に、第１番節１３の後端部分が第２番節１４の先端部分とかみ合って両者が固定されるようになっている。なお、第２番節１４と第３番節１５との関係及び第３番節１５と第４番節１６との関係も同様である。なお、本実施形態では、釣竿１０は４つの節１３〜１６を備えているが、節の数量は、何ら限定されるものではない。
【００２１】
釣竿本体１１は、振動伝達糸１９を備えている。同図が示すように、この振動伝達糸１９は、釣竿本体１１の内部に収容されている。振動伝達糸１９は、金属により構成され、その線径は０．０５ｍｍ〜０．６ｍｍの範囲で適宜設定され得る。振動伝達糸１９は、カーボン繊維から構成されていてもよい。その場合、振動伝達糸１９の線径は、０．２ｍｍ〜０．６ｍｍの範囲で適宜設定され得る。この振動伝達糸１９の先端２０（他端）には、リング２１が設けられている。このリング２１には、釣糸が連結されるようになっている。もっとも、このリング２１は、省略されていてもよく、その場合には、釣糸は、振動伝達糸１９に直接連結される。また、振動伝達糸１９の後端（一端）は、後述のように尻栓１２側に連結される。なお、この振動伝達糸１９の機能については、後述される。
【００２２】
図２は、釣竿１０の後端部の拡大分解斜視図である。尻栓１２は、同図が示すように第４番節１６の後端部に嵌め込まれている。また、図３は、尻栓１２の断面図であり、尻栓１２の構造が詳細に図示されている。
【００２３】
尻栓１２は、尻栓本体２１（小径部）と、尻栓本体２１に設けられたフランジ２２（大径部）とを備えている。尻栓本体２１は、円筒状に形成されており、例えば金属や樹脂により構成される。尻栓本体２１の外周面には雄ねじ２３が形成されている。この雄ねじ２３は、上記第４番節１６の後端部の内周面に形成された雌ねじ２４と螺合する。したがって、尻栓１２は、第４番節１６に着脱自在に設けられており、尻栓本体２１が第４番節１６にねじ込まれることによって固定される。
【００２４】
フランジ２２は、例えばゴム等の弾性に富む材料から構成される。フランジ２２は、尻栓本体２１の後端部に嵌め込まれている。上記尻栓本体２１が上記第４番節１６にねじ込まれると、フランジ２２は、第４番節１６の後端から露出する。フランジ２２には、尻栓本体２１の内部と連通する貫通孔２６が設けられている。この貫通孔２６の後方部分２７（聴音器連結部）の壁面は、当該貫通孔２６の内径寸法が漸次小さくなるように曲面に形成されている。この貫通孔２６の後方部分２７には、後述されるように聴音器２８が固定されるようになっている。
【００２５】
また、尻栓１２は、弾性薄膜２９を備えている。この弾性薄膜２９は、フレーム３０に支持されている。フレーム３０は、リング状に形成されており、例えば金属や樹脂により構成される。弾性薄膜２９は、例えばポリエチレンやポリプロピレン等からなり、その肉厚寸法は０．０１５ｍｍ〜０．２ｍｍに設定されている。尻栓本体２１の先端部の内周面には、周方向に沿って溝２５が設けられており、上記フレーム３０は、この溝２５に嵌め込まれている。これにより、尻栓１２の先端部に弾性薄膜２９が張り付けられた状態となる。なお、上記フレーム３０が省略され、弾性薄膜２９が尻栓本体２１の先端面３１に直接張り付けられていてもよい。
【００２６】
上記振動伝達糸１９は、この弾性薄膜２９に連結されている。具体的には、振動伝達糸１９の後端３２が、接着剤等によって弾性薄膜２９の中央に固着されている。本実施形態では、振動伝達糸１９が直接弾性薄膜２９に連結されているが、両者を確実に連結する連結具が介在されていてもよい。
【００２７】
釣人は、この釣竿１０を使用して例えばミャク釣りを行うことができる。実釣時に釣人は、図１が示すように、釣糸を振動伝達糸１９に連結する。また、釣人は、聴音器２８を尻栓１２に取り付けると共に耳に装着する。聴音器２８としては、例えば医師が使用する聴診器のようなものも採用され得る。この聴音器２８は、図３が示すように、尻栓１２のフランジ２２に設けられた貫通孔２６の後方部分２７に嵌め込まれる。フランジ２２は、ゴム等で構成されるから、聴音器２８がこの後方部分２７に嵌め込まれると、フランジ２２が弾性変形し、それによって生じる緊迫力により聴音器２８が固定される。なお、本実施形態では、上記フランジ２２がゴム等の弾性材料で構成されているが、聴音器２８が確実に固定され得るならば、樹脂や金属により構成されていてもよい。
【００２８】
魚がヒットし、釣糸に張力が生じれば、振動伝達糸１９が振動し、当該振動は弾性薄膜２９に伝達される。弾性薄膜２９が振動すれば、これが聴音器２８によって音波として捉えられ、釣人は、これを聴取することができる。すなわち、釣人は、魚がヒットしたこと（いわゆるアタリ）を聴覚により確認することができるので、特にミャク釣り等においては、アタリが明確になると共に、釣人にとって一層エキサイティングな釣りが楽しめる。
【００２９】
本実施形態に係る釣竿１０では、尻栓１２は、釣竿本体１１に対して着脱自在であり、しかも、上記弾性薄膜２９は、尻栓１２に設けられている。したがって、弾性薄膜２９を釣竿本体１１の内部に組み込む作業がきわめて簡単であると共に、この弾性薄膜２９に上記振動伝達糸１９を取り付ける作業も簡単になるという利点がある。もっとも、弾性薄膜２９は、釣竿本体１１を構成する節１３〜１６の内部に直接配置されていてもよい。
【００３０】
次に、本実施形態の変形例について説明される。
図４は、本実施形態の変形例に係る釣竿の尻栓の分解斜視図である。
【００３１】
本変形例に係る釣竿が上記釣竿１０と異なるところは、上記釣竿１０に設けられていた振動伝達糸１９が省略されている点、及び当該尻栓４０の弾性薄膜２９に釣糸連結部４１が設けられている点である。なお、その他の構成については、上記釣竿１０と同様である。
【００３２】
この尻栓４０では、上記実施形態に係る尻栓１２と同様に、弾性薄膜２９はフレーム３０に支持されており、このフレーム３０が尻栓４０の小径部２１の溝２５に嵌め込まれる。また、上記釣糸連結部４１は、例えば同図が示すようなフックにより構成されるが、これに限定されるものではなく、要するに釣糸が確実に連結されるものであればよい。
【００３３】
本実施形態においては、実釣時に釣人は、釣糸を釣糸連結部４１に連結する。また、釣人は、聴音器２８を尻栓４０に取り付けると共に耳に装着する。魚がヒットし、釣糸に張力が生じれば、当該振動は弾性薄膜２９に伝達される。弾性薄膜２９が振動すれば、これが聴音器２８によって音波として捉えられ、釣人は、これを聴取することができる。これにより、釣人は、魚がヒットしたこと（いわゆるアタリ）を聴覚により確認することができる。
【産業上の利用可能性】
【００３４】
本発明は、釣竿一般に適用され得る。
【図面の簡単な説明】
【００３５】
【図１】図１は、本発明の一実施形態に係る釣竿の正面図である。
【図２】図２は、本発明の一実施形態に係る釣竿の後端部の拡大分解斜視図である。
【図３】図３は、本発明の一実施形態に係る釣竿の尻栓の断面図である。
【図４】図４は、本実施形態の変形例に係る釣竿の尻栓の分解斜視図である。
【符号の説明】
【００３６】
１０・・・釣竿
１１・・・釣竿本体
１２・・・尻栓
１９・・・振動伝達糸
２０・・・振動伝達糸の先端
２１・・・尻栓本体
２２・・・フランジ
２３・・・雄ねじ
２４・・・雌ねじ
２５・・・溝
２６・・・貫通孔
２７・・・貫通孔の後方部分
２８・・・聴音器
２９・・・弾性薄膜
３０・・・フレーム
３１・・・先端面
３２・・・振動伝達糸の後端
４０・・・尻栓
４１・・・釣糸連結部
【図１】
2005261326.tif 000003
【図２】
2005261326.tif 000004
【図３】
2005261326.tif 000005
【図４】
2005261326.tif 000006